(57)【要約】【課題】中空鋼管鉄塔への虫の侵入を防止することができるとともに斜水盤の水抜き溝の清掃作業を容易に行うことができる鋼管鉄塔水抜き溝清掃器具を提供する。【解決手段】斜水盤５の開口部５ｂに挿着されたスプリング６を取り外す際に使用するスプリング外し金具１１と、水抜き溝５ａを清掃する際に使用する清掃用ブラシ１２を構成するブラシ部１２ａ、柄部１２ｂおよびステンレスワイヤ１２ｃと、柄取付部材１３と、開口部塞ぎ板１４と、キャップ１５とを具備する。清掃用ブラシ１２をブラシ部１２ａと柄部１２ｂとに分割して、スプリング外し金具１１をブラシ部１２ａに収納しブラシ部１２ａを柄部１２ｂに収納できるようにすることにより、水抜き溝清掃器具１０を水抜き溝５ａに収納できるとともに水抜き溝清掃器具１０で開口部５ｂを塞げるようにした。【選択図】図１
2012170887.tif 000002
【特許請求の範囲】
【請求項１】
中空鋼管鉄塔（１）に取り付けられている斜水盤（５）の水抜き溝（５ａ）を清掃するための鋼管鉄塔水抜き溝清掃器具（１０）であって、
前記水抜き溝の両端の開口部（５ｂ）に挿着されているスプリング（６）を引掛部（１１ｃ）で引っ掛けて該スプリングを該開口部から引き出すためのスプリング外し金具（１１）と、
前記水抜き溝を清掃するための清掃用ブラシ（１２）と、
該清掃用ブラシが取付可能な柄取付部材（１３）と、
該柄取付部材に固定された開口部塞ぎ板（１４）と、
前記柄取付部材を前記斜水盤に固定するためのキャップ（１５）とを具備し、
前記清掃用ブラシが、
中央部に貫通孔が形成された底板部（１２ａａ）および該底板部の裏面に垂設された円筒形状の外筒部（１２ａｂ）を有するブラシ部（１２ａ）と、
円柱形状の柄部（１２ｂ）と、
前記ブラシ部の前記外筒部の前記底板部と反対側である先端部の外周面に取り付けられた多数本のワイヤ（１２ｃ）とを備え、
前記引掛部を先にして前記スプリング外し金具を前記ブラシ部の前記底板部から該ブラシ部の前記外筒部に挿入して該スプリング外し金具を該ブラシ部に取り付けるためのスプリング外し金具取付手段（１１ｄ，１２ａｃ）が、該スプリング外し金具および該外筒部に設けられており、
前記柄部の先端部を先にして該柄部を前記ブラシ部の前記外筒部の先端部から該外筒部に挿入して該柄部に該ブラシ部を取り付けるとともに、前記柄部の先端部を先にして該柄部を前記ブラシ部の前記底板部から該ブラシ部の前記外筒部に挿入して該柄部に該ブラシ部を取り付けるためのブラシ部取付手段（１２ａｃ，１２ａｄ，１２ｂａ）が、該ブラシ部および該柄部に設けられており、
前記スプリング外し金具を前記ブラシ部に取り付け、前記柄部の先端部を先にして該柄部を該ブラシ部の前記外筒部の先端部から該外筒部に挿入して該柄部に該ブラシ部を取り付けるとともに、前記柄部の末端部を前記柄取付部材に取り付けたのち、前記キャップで該柄取付部材を前記斜水盤に固定して前記鋼管鉄塔水抜き溝清掃器具を前記水抜き溝に収納した際に、前記ブラシ部の前記底板部と前記開口部塞ぎ板とで該水抜き溝の両端の前記開口部を塞ぐことができるように、該ブラシ部の該底板部および該開口部塞ぎ板の表面積が該開口部の開口面積よりも大きくされている、
ことを特徴とする、鋼管鉄塔水抜き溝清掃器具。
【請求項２】
前記スプリング外し金具が、
底板部（１１ａ）と、
該底板部の裏面に垂設された、かつ、前記スプリング外し金具取付手段として機能する第１のネジ（１１ｄ）が外周面に形成されたボルト部（１１ｂ）と、
該ボルト部の前記底板部と反対側の端面に取り付けられた前記引掛部と、
を備えることを特徴とする、請求項１記載の鋼管鉄塔水抜き溝清掃器具。
【請求項３】
前記柄部の先端部の外周面に、前記ブラシ部取付手段として機能する第２のネジ（１２ｂａ）が形成されており、
前記ブラシ部の前記外筒部の前記底板部側である末端部の外周面に、前記スプリング外し金具取付手段および前記ブラシ部取付手段として機能する、かつ、前記スプリング外し金具の前記第１のネジおよび前記柄部の前記第２のネジと螺合する第３のネジ（１２ａｃ）が形成されており、
前記ブラシ部の前記外筒部の前記第３のネジよりも先端側の外周面に、前記ブラシ部取付手段として機能する、かつ、前記柄部の前記第２のネジと螺合する第４のネジ（１２ａｄ）が形成されている、
ことを特徴とする、請求項２記載の鋼管鉄塔水抜き溝清掃器具。
【請求項４】
前記柄部の末端部の外周面に、第５のネジ（１２ｂｂ）が形成されており、
前記柄取付部材が、
前記柄部の末端部の前記第５のネジと螺合する第６のネジ（１３ａ）が内周面に形成された凹部を有する円柱部材と、
該円柱部材の凹部の開口面と対向する面に垂設されたボルト部とを備え、
前記円柱部材の径が、前記水抜き溝の前記開口部の対角線の長さよりも径が小さくされている、
ことを特徴とする、請求項３記載の鋼管鉄塔水抜き溝清掃器具。
【請求項５】
前記柄取付部材の前記ボルト部の外周面に、第７のネジ（１３ｂ）が形成されており、
前記キャップが、前記柄取付部材の前記ボルト部の前記第７のネジと螺合する第８のネジ（１５ａ）が内周面に形成された凹部を有する円柱形状をしている、
ことを特徴とする、請求項４記載の鋼管鉄塔水抜き溝清掃器具。
【発明の詳細な説明】
【技術分野】
【０００１】
本発明は、送電線鉄塔などの中空鋼管鉄塔に取り付けられている斜水盤の水抜き溝の清掃に使用するのに好適な鋼管鉄塔水抜き溝清掃器具に関する。
【背景技術】
【０００２】
送電線鉄塔１の下端部は、図５に示すように、コンクリート製の台座（不図示）に取り付けられた最下端の基礎材３に中空鋼管製の主柱材２を２個のフランジ部４を介して接続したのち、主柱材２を継ぎ足す構成となっている。
また、送電線鉄塔１は、標高の高い山間部に設置されていることが多く、降雨や霧の影響により高湿度環境に置かれており、主柱材２の中空部が上下に貫通していることから、主柱材２内に発生した結露などが内部に溜まらないように、最下部の２個のフランジ部４の間には斜水盤５（水抜きプレート）が挟まれている。
【０００３】
このような斜水盤５は、図６（ａ）に示すように、円盤状の形状を有し、斜水盤５の表面には、互いに対向する斜水盤５の外周面に開口部５ｂ（図５および図６（ｂ）参照）を有する２本の水抜き溝５ａが十字状に形成されている。
【０００４】
このように斜水盤５の外周面には水抜き溝５ａの両端の開口部５ｂが形成されているので、開口部５ｂからミツバチやてんとう虫などの虫が送電線鉄塔１の主柱材２内に入り込んで越冬したり棲家として使用したりして虫の排出物によって主柱材２内に錆が発生することを防止するために、図６（ｂ）に示すようにスプリング６を開口部５ｂに対して横方向に挿着して開口部５ｂを塞ぐことにより虫が主柱材２内に侵入できないようにしている（下記の特許文献１の図１０参照）。
【先行技術文献】
【特許文献】
【０００５】
【特許文献１】特開２００７−８９５００号公報
【発明の概要】
【発明が解決しようとする課題】
【０００６】
しかしながら、送電線鉄塔１の巡視点検時にスプリング６を水抜き溝５ａの開口部５ｂから取り外す際には、作業員は、開口部５ｂに対して横方向に挿着されているスプリング６を素手で取り外すことができないため、先の細いラジオペンチなどを用いて取り外しているという問題があった。
また、作業員は、スプリング６を取り外したのちに小枝やススキの芯などで水抜き溝５ａに溜まったゴミなどを押し出して水抜き溝５ａの清掃を行っているが、小枝やススキの芯などはゴミなどを２〜３回押し出すと折れてしまうという問題があるとともに、小枝やススキの芯などは形状が必ずしも水抜き溝５ａの開口部５ｂから挿入するのに合っているとは限らないため、何回も挿入を繰り返さなければならず、作業時間がかかるという問題があった。
【０００７】
本発明の目的は、中空鋼管鉄塔への虫の侵入を防止することができるとともに斜水盤の水抜き溝の清掃作業を容易に行うことができる鋼管鉄塔水抜き溝清掃器具を提供することにある。
【課題を解決するための手段】
【０００８】
本発明の鋼管鉄塔水抜き溝清掃器具は、中空鋼管鉄塔（１）に取り付けられている斜水盤（５）の水抜き溝（５ａ）を清掃するための鋼管鉄塔水抜き溝清掃器具（１０）であって、前記水抜き溝の両端の開口部（５ｂ）に挿着されているスプリング（６）を引掛部（１１ｃ）で引っ掛けて該スプリングを該開口部から引き出すためのスプリング外し金具（１１）と、前記水抜き溝を清掃するための清掃用ブラシ（１２）と、該清掃用ブラシが取付可能な柄取付部材（１３）と、該柄取付部材に固定された開口部塞ぎ板（１４）と、前記柄取付部材を前記斜水盤に固定するためのキャップ（１５）とを具備し、前記清掃用ブラシが、中央部に貫通孔が形成された底板部（１２ａａ）および該底板部の裏面に垂設された円筒形状の外筒部（１２ａｂ）を有するブラシ部（１２ａ）と、円柱形状の柄部（１２ｂ）と、前記ブラシ部の前記外筒部の前記底板部と反対側である先端部の外周面に取り付けられた多数本のワイヤ（１２ｃ）とを備え、前記引掛部を先にして前記スプリング外し金具を前記ブラシ部の前記底板部から該ブラシ部の前記外筒部に挿入して該スプリング外し金具を該ブラシ部に取り付けるためのスプリング外し金具取付手段（１１ｄ，１２ａｃ）が、該スプリング外し金具および該外筒部に設けられており、前記柄部の先端部を先にして該柄部を前記ブラシ部の前記外筒部の先端部から該外筒部に挿入して該柄部に該ブラシ部を取り付けるとともに、前記柄部の先端部を先にして該柄部を前記ブラシ部の前記底板部から該ブラシ部の前記外筒部に挿入して該柄部に該ブラシ部を取り付けるためのブラシ部取付手段（１２ａｃ，１２ａｄ，１２ｂａ）が、該ブラシ部および該柄部に設けられており、前記スプリング外し金具を前記ブラシ部に取り付け、前記柄部の先端部を先にして該柄部を該ブラシ部の前記外筒部の先端部から該外筒部に挿入して該柄部に該ブラシ部を取り付けるとともに、前記柄部の末端部を前記柄取付部材に取り付けたのち、前記キャップで該柄取付部材を前記斜水盤に固定して前記鋼管鉄塔水抜き溝清掃器具を前記水抜き溝に収納した際に、前記ブラシ部の前記底板部と前記開口部塞ぎ板とで該水抜き溝の両端の前記開口部を塞ぐことができるように、該ブラシ部の該底板部および該開口部塞ぎ板の表面積が該開口部の開口面積よりも大きくされていることを特徴とする。
ここで、前記スプリング外し金具が、底板部（１１ａ）と、該底板部の裏面に垂設された、かつ、前記スプリング外し金具取付手段として機能する第１のネジ（１１ｄ）が外周面に形成されたボルト部（１１ｂ）と、該ボルト部の前記底板部と反対側の端面に取り付けられた前記引掛部とを備えてもよい。
前記柄部の先端部の外周面に、前記ブラシ部取付手段として機能する第２のネジ（１２ｂａ）が形成されており、前記ブラシ部の前記外筒部の前記底板部側である末端部の外周面に、前記スプリング外し金具取付手段および前記ブラシ部取付手段として機能する、かつ、前記スプリング外し金具の前記第１のネジおよび前記柄部の前記第２のネジと螺合する第３のネジ（１２ａｃ）が形成されており、前記ブラシ部の前記外筒部の前記第３のネジよりも先端側の外周面に、前記ブラシ部取付手段として機能する、かつ、前記柄部の前記第２のネジと螺合する第４のネジ（１２ａｄ）が形成されていてもよい。
前記柄部の末端部の外周面に、第５のネジ（１２ｂｂ）が形成されており、前記柄取付部材が、前記柄部の末端部の前記第５のネジと螺合する第６のネジ（１３ａ）が内周面に形成された凹部を有する円柱部材と、該円柱部材の凹部の開口面と対向する面に垂設されたボルト部とを備え、前記円柱部材の径が、前記水抜き溝の前記開口部の対角線の長さよりも径が小さくされていてもよい。
前記柄取付部材の前記ボルト部の外周面に、第７のネジ（１３ｂ）が形成されており、前記キャップが、前記柄取付部材の前記ボルト部の前記第７のネジと螺合する第８のネジ（１５ａ）が内周面に形成された凹部を有する円柱形状をしていてもよい。
【発明の効果】
【０００９】
本発明の鋼管鉄塔水抜き溝清掃器具は、以下の効果を奏する。
（１）鋼管鉄塔水抜き溝清掃器具を斜水盤の水抜き溝に収納するとブラシ部の底板部および開口部塞ぎ板で水抜き溝の両端の開口部を塞ぐことができるため、中空鋼管鉄塔への虫の侵入を防止することができる。
（２）ブラシ部を柄部に取り付けることにより清掃用ブラシとすることができるため、小枝やススキの芯などに比べて斜水盤の水抜き溝の清掃作業を容易に行うことができる。
（３）鋼管鉄塔水抜き溝清掃器具を斜水盤の水抜き溝に収納しておくことができるため、作業員は巡視点検時には限らずいつでも中空鋼管鉄塔に行ったときに斜水盤の水抜き溝を清掃することができる。
（４）特殊な工具を必要としないため、誰でも斜水盤の水抜き溝を清掃することができる。
（５）清掃用ブラシで斜水盤の水抜き溝を清掃できるため、清掃時間の短縮化が図れる。
（６）刃物を使用しないため、作業員の安全が図れる。
（７）ブラシ部にワイヤが取り付けられているため、たとえ小さな虫などが水抜き溝の開口部から侵入しても、小さな虫はワイヤを棲家にするため、鋼管鉄塔水抜き溝清掃器具を斜水盤の水抜き溝から引き出すだけで小さな虫を取り出すことができる。
【図面の簡単な説明】
【００１０】
【図１】本発明の一実施例による鋼管鉄塔水抜き溝清掃器具１０を斜水盤５の水抜き溝５ａに収納する際の状態を示す断面図である。
【図２】図１に示した鋼管鉄塔水抜き溝清掃器具１０を斜水盤５の水抜き溝５ａに収納した状態を示す図である。
【図３】図１に示したスプリング外し金具１１の構成および機能について説明するための図である。
【図４】図１に示したブラシ部１２ａを柄部１２ｂに取り付けて斜水盤５の水抜き溝５ａを清掃する際の清掃用ブラシ１２の状態を示す図である。
【図５】送電線鉄塔１の下端部の構成を説明するための図である。
【図６】図５に示した斜水盤５の構成および水抜き溝５ａの開口部５ｂに挿着されたスプリング６について説明するための図である。
【発明を実施するための形態】
【００１１】
上記の目的を、清掃用ブラシをブラシ部と柄部とに分割し、スプリング外し金具をブラシ部に収納するとともにブラシ部を柄部に収納すると、鋼管鉄塔水抜き溝清掃器具を斜水盤の水抜き溝に収納できるとともに鋼管鉄塔水抜き溝清掃器具で水抜き溝の両側の開口部を塞げるようにすることにより実現した。
【実施例１】
【００１２】
以下、本発明の鋼管鉄塔水抜き溝清掃器具の実施例について図面を参照して説明する。
本発明の一実施例による鋼管鉄塔水抜き溝清掃器具１０（以下、「水抜き溝清掃器具１０」と称する。）は、図１に示すように、斜水盤５の両端の開口部５ｂに挿着されたスプリング６を取り外す際に使用するスプリング外し金具１１と、斜水盤５の水抜き溝５ａを清掃する際に使用する清掃用ブラシ１２を構成するブラシ部１２ａ、柄部１２ｂおよび多数本のステンレスワイヤ１２ｃと、柄取付部材１３と、開口部塞ぎ板１４と、キャップ１５とを具備する。
【００１３】
ここで、スプリング外し金具１１は、図３に示すように、底板部１１ａと、底板部１１ａの裏面に垂設されたボルト部１１ｂと、ボルト部１１ｂの先端面（底板部１１ａと反対側の端面）に取り付けられた引掛部１１ｃとを備える。
底板部１１ａは、図２（ｂ）に示すように、表面積が水抜き溝５の開口部５ｂの開口面積よりも若干大きい直方体形状を有する。
ボルト部１１ｂの外周面には、右雄ネジ１１ｄが形成されている。
【００１４】
清掃用ブラシ１２のブラシ部１２ａは、図４に示すように、中央部に貫通孔が形成された底板部１２ａａと、底板部１２ａａの裏面に垂設された円筒形状の外筒部１２ａｂとを備える。
底板部１２ａａは、図２（ｂ）に示すように、表面積がスプリング外し金具１１の底板部１１ａの表面積よりも大きい直方体形状を有する。
外筒部１２ａｂには、ブラシ部１２ａの貫通孔と同じ径の貫通孔がブラシ部１２ａの貫通孔と繋がるように形成されている。
外筒部１２ａｂの末端側（底板部１２ａａ側）の外周面には、スプリング外し金具１１のボルト部１１ｂの右雄ネジ１１ｄと螺合する右雌ネジ１２ａｃが形成されている。これにより、スプリング外し金具１１を回してボルト部１１ｂの右雄ネジ１１ｄをブラシ部１２ａの外筒部１２ａｂの右雌ネジ１２ａｃと螺合させていくことにより、図１に示すようにスプリング外し金具１１のボルト部１１ｂを清掃用ブラシ１２の外筒部１２ａｂに収納することができる。
また、外筒部１２ａｂの右雌ネジ１２ａｃよりも先端側（底板部１２ａａと反対側）の外周面には、左雌ネジ１２ａｄが形成されている。
多数本のステンレスワイヤ１２ｃは、外筒部１２ａｂの先端面側（底板部１２ａａと反対側の端面側）の外周面の全面を覆うように取り付けられている。
【００１５】
清掃用ブラシ１２の柄部１２ｂは、図４に示すように、ブラシ部１２ａの外筒部１２ａｂに形成された貫通孔の径と径がほぼ同じである円柱形状を有する。
柄部１２ｂの先端部の外周面には、ブラシ部１２ａの外筒部１２ａｂの末端部の外周面に形成された右雌ネジ１２ａｃと螺合する右雄ネジ１２ｂａが形成されている。これにより、柄部１２ｂの先端部を先にして柄部１２ｂをブラシ部１２ａの底板部１２ａａおよび外筒部１２ａｂの貫通孔に挿入したのちに柄部１２ｂを回して柄部１２ｂの右雄ネジ１２ｂａをブラシ部１２ａの外筒部１２ａｂの右雌ネジ１２ａｃと螺合させていくことにより、斜水盤５の水抜き溝５ａを清掃するための清掃用ブラシ１２の状態にすることができる。
また、柄部１２ｂの先端部の外周面に形成された右雄ネジ１２ｂａは、図１に示すように柄部１２ｂの先端部を先にして柄部１２ｂをブラシ部１２ａの外筒部１２ａｂの先端部から外筒部１２ａｂの貫通孔に挿入したのちに柄部１２ｂを回すと柄部１２ｂにブラシ部１２ａを取り付けることができるように、ブラシ部１２ａの外筒部１２ａｂの左雌ネジ１２ａｄ（図４参照）と螺合するようにされている。これにより、図１に示すように柄部１２ｂの先端部をブラシ部１２ａの外筒部１２ａｂの貫通孔に挿入したのちに柄部１２ｂを回して柄部１２ｂの右雄ネジ１２ｂａをブラシ部１２ａの外筒部１２ａｂの左雌ネジ１２ａｄと螺合させていくことにより、柄部１２ｂの先端部をブラシ部１２ａの外筒部１２ａに収納することができる。
また、柄部１２ｂの末端部の外周面には、右雄ネジ１２ｂｂが形成されている。
【００１６】
柄取付部材１３は、図２（ａ）に示すように、柄部１２ｂの末端部の右雄ネジ１２ｂｂ（図４参照）と螺合する右雌ネジ１３ａが内周面に形成された凹部を有する円柱部材と、円柱部材の凹部の開口面と対向する面（以下、「対向面」と称する。）に垂設されたボルト部とを備える。
柄取付部材１３の円柱部材の径は、水抜き溝５の開口部５ｂの対角線の長さよりも径が小さくされている。
柄取付部材１３のボルト部の外周面には、右雄ネジ１３ｂが形成されている。
これにより、柄部１２ｂの末端部を柄取付部材１３の円柱部材の凹部に挿入したのちに柄部１２ｂを回して柄部１２ｂの右雄ネジ１２ｂｂを柄取付部材１３の右雌ネジ１３ａと螺合させていくことにより、柄部１２ｂを柄取付部材１３に取り付けることができる。
【００１７】
開口部塞ぎ板１４は、図２（ｃ）に示すように、水抜き溝５の開口部５ｂの開口面積よりも大きい表面積を有する直方体形状を有し、裏面が柄取付部材１３の円柱部材の対向面に固定されている。
また、開口部塞ぎ板１４の中央部には、柄取付部材１３のボルト部の右雄ネジ１３ｂと螺合する右雌ネジが内周面に形成された貫通孔が形成されている。
【００１８】
キャップ１５は、柄取付部材１３のボルト部の右雄ネジ１３ｂと螺合する右雌ネジ１５ａが内周面に形成された凹部を有する円柱形状をしている。
【００１９】
水抜き溝清掃器具１０は、図１に示したような収納時の状態では、図２（ａ）に示すように、斜水盤５の１本の水抜き溝５ａに収納することができるとともに、スプリング外し金具１１の底板部１２ａａと開口部塞ぎ板１４とでこの１本の水抜き溝５ａの両端の開口部５ｂに蓋をすることができる寸法とされている。
【００２０】
次に、水抜き溝清掃器具１０の使用方法の一例について説明する。
まず、作業員が、斜水盤５の水抜き溝５ａに収納されている水抜き溝清掃器具１０を取り出して斜水盤５の水抜き溝５ａを清掃するときの作業手順について説明する。
【００２１】
作業員は、キャップ１５を回して柄取付部材１３からキャップ１５を取り外したのち、開口部塞ぎ板１４を回して柄取付部材１３および開口部塞ぎ板１４を柄部１２ｂから外していきながら水抜き溝５ａから引き出す。その後、作業員は、スプリング外し金具１１の底板部１１ａを持ってスプリング外し金具１１、ブラシ部１２ａおよび柄部１２ｂを水抜き溝５ａから引き出す。
【００２２】
続いて、作業員は、スプリング外し金具１１の底板部１１ａを回してスプリング外し金具１１をブラシ部１２ａから取り外したのち、ブラシ部１２ａの底板部１２ａａを回してブラシ部１２ａを柄部１２ｂから取り外す。
【００２３】
続いて、作業員は、ブラシ部１２ａを１８０°回転し、柄部１２ｂの先端部を先にして柄部１２ｂをブラシ部１２ａの底板部１２ａａから挿入したのち、柄部１２ｂを回してブラシ部１２ａを柄部１２ｂに取り付けることにより、清掃用ブラシ１２として使用できるようにする。
【００２４】
続いて、作業員は、スプリング外し金具１１を用いて斜水盤５の開口部５ｂに挿着されているスプリング６を取り外す。その後、作業員は、清掃用ブラシ１２をステンレスワイヤ１２ｃから斜水盤５の開口部５ｂに挿入して水抜き溝５ａに溜まっているゴミなどをこの水抜き溝５ａの他方の開口部５ｂから押し出す作業を数回繰り返して水抜き溝５ａを清掃する。その後、作業員は、清掃用ブラシ１２を用いてもう１本の水抜き溝５ａを同様にして清掃する。
【００２５】
次に、作業員が、斜水盤５の水抜き溝５ａを清掃したのちに水抜き溝清掃器具１０を水抜き溝５ａに収納するときの作業手順について説明する。
【００２６】
作業員は、柄部１２ｂを回して柄部１２ｂをブラシ部１２ａから取り外したのち、ブラシ部１２ａを１８０°回転し、柄部１２ｂの先端部を先にして柄部１２ｂをブラシ部１２ａの先端部側（ステンレスワイヤ１２ｃ側）から挿入したのち、柄部１２ｂを回してブラシ部１２ａを柄部１２ｂに取り付ける。
【００２７】
続いて、作業員は、スプリング外し金具１１の引掛部１１ｃを先にしてスプリング外し金具１１をブラシ部１２ａに挿入したのち、スプリング外し金具１１の底板部１１ａを回してスプリング外し金具１１をブラシ部１２ａに取り付ける。
【００２８】
続いて、作業員は、スプリング外し金具１１の底板部１１ａを持ってスプリング外し金具１１、ブラシ部１２ａおよび柄部１２ｂを水抜き溝５ａの開口部５ｂに挿入する。
【００２９】
続いて、作業員は、柄取付部材１３を水抜き溝５ａの対向する開口部５ｂから挿入したのち、開口部塞ぎ板１４を回して柄取付部材１３および開口部塞ぎ板１４を柄部１２ｂに取り付けたのち、キャップ１５を回して柄取付部材１３にキャップ１５を取り付ける。
【００３０】
以上の説明では、スプリング外し金具１１に右雄ネジ１１ｄを形成し、ブラシ部１２ａに右雌ネジ１２ａｃおよび左雌ネジ１２ａｄを形成し、柄部１２ｂに右雄ネジ１２ｂａを形成したが、スプリング外し金具１１に右雌ネジを形成し、ブラシ部１２ａに右雄ネジおよび左雄ネジを形成し、柄部１２ｂに右雌ネジを形成してもよい。
同様に、柄部１２ｂに右雄ネジ１２ｂｂを形成し、柄取付部材１３に右雌ネジ１３ａを形成したが、柄部１２ｂに右雌ネジを形成し、柄取付部材１３に右雄ネジを形成してもよい。
また、右ネジと左ネジとを逆にしてもよい。
【符号の説明】
【００３１】
１  送電線鉄塔
２  主柱材
３  基礎材
４  フランジ部
５  斜水盤
５ａ  水抜き溝
５ｂ  開口部
６  スプリング
１０  水抜き溝清掃器具
１１  スプリング外し金具
１１ａ  底板部
１１ｂ  ボルト部
１１ｃ  引掛部
１１ｄ  右雄ネジ
１２  清掃用ブラシ
１２ａ  ブラシ部
１２ａａ  底板部
１２ａｂ  外筒部
１２ａｃ  右雌ネジ
１２ａｄ  左雌ネジ
１２ｂ  柄部
１２ｂａ，１２ｂｂ  右雄ネジ
１２ｃ  ステンレスワイヤ
１３  柄取付部材
１３ａ  右雌ネジ
１３ｂ  右雄ネジ
１４  開口部塞ぎ板
１５  キャップ
１５ａ  右雌ネジ
【図１】
2012170887.tif 000003
【図２】
2012170887.tif 000004
【図３】
2012170887.tif 000005
【図４】
2012170887.tif 000006
【図５】
2012170887.tif 000007
【図６】
2012170887.tif 000008